(57)【特許請求の範囲】
【請求項１】
基端環に連結された基部およびこの基部から延びたフック部を備えた本体と、基部内でばね付勢されて突出しフック部の先端に圧接してフック部の開放部を閉じる閉じ習性を持ち、ばねに抗し基部まわりにて後退操作する操作部を有している係止ピンと、を備えた動物用の連結具において、
操作部は、基部周壁の、フック部の開放部側に設けられたスライド溝を通じ係止ピン外周から基部外まわりに立ち上がった立ち上がり部から基部外周に沿って周方向の一方または両方に延びるように形成され、
基端環は、連結端の中心の連結穴で基部の連結軸と軸線まわりに回転できるように連結され、
連結端は、特定の回転位置で操作部の後退側端部と対向して操作部の後退を許容し、それ以外の回転位置では操作部と当接して係止ピンを閉じ位置にロックして後退を阻止する大きさ及び形状を有することを特徴とする動物用連結具。
【請求項２】
操作部は、基部外周の窪み部に嵌り込んでいる請求項１に記載の動物用連結具。
【請求項３】
基部の操作部が後退操作される側の外回りに周方向に移動できるように嵌め合わせされて、周方向のロック位置で基部端鍔部と操作部との間で突っ張り、操作部を介して係止ピンを閉じ位置にロックして後退を阻止すると共に、操作部の後退路から退避する非ロック位置への移動により係止ピンのロックを解除するストッパ部材を更に備える、請求項１及び請求項２の何れかに記載の動物用連結具。
【請求項４】
基端環に連結された基部およびこの基部から延びたフック部を備えた本体と、基部内でばね付勢されて突出しフック部の先端に圧接してフック部の開放部を閉じる閉じ習性を持ち、ばねに抗して後退操作する操作部が基部のまわりに臨出している係止ピンとを備えた動物用の連結具において、
基端環は、連結端の中心の連結穴で基部の連結軸と軸線まわりに回転できるように連結され、連結端は、特定の回転位置で操作部の後退側端部と対向して操作部の後退を許容し、それ以外の回転位置では操作部と当接して係止ピンを閉じ位置にロックして後退を阻止する大きさ及び形状を有したことを特徴とする動物用連結具。
【請求項５】
基端環に連結された基部およびこの基部から延びたフック部を備えた本体と、基部内でばね付勢されて突出しフック部の先端に圧接してフック部の開放部を閉じる閉じ習性を持ち、ばねに抗し基部まわりにて後退操作する操作部を有している係止ピンと、を備えた動物用の連結具において、
操作部は、基部周壁の、フック部の開放部側に設けられたスライド溝を通じ係止ピン外周から基部外まわりに立ち上がった立ち上がり部に接続される背面域と背面域に連続する側縁域とが共に基部外周に沿って周方向に延びるように形成されることを特徴とする動物用連結具。
【請求項６】
操作部は、基部外周に設けられた窪み部に嵌り込んでいることを特徴とする、請求項５に記載の動物用連結具。
【発明の詳細な説明】
【技術分野】
【０００１】
この発明は、主として犬や猫などの動物の首輪、胴輪、係留具などに引き紐や係留紐を連結するのに用いられる動物用連結具に関し、主として首輪、胴輪、係留具に設けられたリングに着脱自在に連結して用いられる。
【背景技術】
【０００２】
このような連結具は用途を問わず一般にナス環と呼ばれるものに属するが、動物用連結具は、特に、図７〜図９に示すように、基端環ａに連結された基部ｂ１およびこの基部ｂ１から延びたフック部ｂ２を備えた本体ｂと、基部ｂ１内でばね付勢されて突出しフック部ｂ２の先端ｂ３に圧接してフック部ｂ２の開放部ｂ４を閉じる閉じ習性を持ち、基部ｂ１の側方に後退操作部ｃ１が突出している係止ピンｃとを備えた基本構成を有している。このような動物用連結具ｋは、基端環ａを引き紐の先端や図９に示す係留紐ｊの両端に連結して用いられる。係留紐ｊなどに連結された動物用連結具ｋは、係止ピンｃを後退操作して開放部ｂ４を開いた状態で、図９に示す動物に装着した首輪ｄや地中にアンカー部を打ち込むなどした係留具ｆに設けられている連結環ｇ、ｈに引っ掛けた後、係止ピンｃを後退操作から解放することで開放部ｂ４を閉じ連結される。
【０００３】
基端環ａは通常本体ｂの基部ｂ１に回転自在に連結されて、連結部に自由度を与えている。しかし、図７に示すように、フック部ｂ２と連結環ｇ、ｈとの連結部との間にそのような回転自在な自由度はなく、連結環ｇ、ｈ、特に首輪ｄに設けられた連結環ｇも首輪ｄに対し回転自在な自由度はない。これらの連結不自由や、動物の急な動きの変化などが原因して、動物用連結具ｋと連結環ｇなどとの連結部に拗れが発生し、この拗れ状態で動物用連結具ｋの係止ピンｄの後退操作部ｃ１に後退操作側への引っ掛かり力、押動力が不用意に働いて、図８に示すようにフック部ｂ２の開放部ｂ４が開かれフック部ｂ２と連結環ｇなどとの連結が外れてしまうことがときとして生じる。ここで、図８は連結環ｇがフック部ｂ２と首輪ｄのバックルｄ１との間で拗れて自由を失った状態で、張力が加わっているフック部ｂ２の係止ピンｃの後退操作部ｃ１を後退操作側に押動力を及ぼしフック部ｄ２の開放部ｄ４を開いてしまった状態を示している。
【０００４】
このような事態に対応するのに本出願人は、連結環ｇとフック部ｄ２との間に中間リングを連結して連結自由度を高める提案を既にしている（特許文献１参照。）。また、動物用連結具自体の構造を改良する技術も既に知られている（例えば、特許文献２、３参照。）。特許文献２、３に開示の技術は、連結環ｇが拗れても動物用連結具ｋの係止ピンｄの後退操作部ｃ１に後退操作方向に引っ掛かったり、押動力を及ぼさないようにフック部ｄ２および係止ピンｃの形状や設置位置を改良している。
【先行技術文献】
【特許文献】
【０００５】
【特許文献１】特開２００６−１４１２０５号公報
【特許文献２】特開２００８−９９６３０号公報
【特許文献３】特開２００８−９９６３１号公報
【発明の概要】
【発明が解決しようとする課題】
【０００６】
しかし、特許文献１が開示する技術では、追加部品が連結リング１つであるが、それを両側の連結部と連結する２つの作業が必要なために、コスト上昇の原因になる。また、特許文献２、３が開示する技術では、成形や組み立てが困難な特殊製品となって高コストになる。
【０００７】
本発明は、このような問題点に鑑みてなされたもので、部品の追加無しに、あるいは簡単に装着できる１つの部品の追加を伴って連結が不用意に外れるのを防止できる低コストな動物用連結具を提供することを課題とするものである。
【課題を解決するための手段】
【０００８】
基端環に連結された基部およびこの基部から延びたフック部を備えた本体と、基部内でばね付勢されて突出しフック部の先端に圧接してフック部の開放部を閉じる閉じ習性を持ち、ばねに抗し基部まわりにて後退操作する操作部を有している係止ピンと、を備えた動物用の連結具において、操作部は、基部周壁の、フック部の開放部側に設けられたスライド溝を通じ係止ピン外周から基部外まわりに立ち上がった立ち上がり部から基部外周に沿って周方向の一方または両方に延びるように形成され、基端環は、連結端の中心の連結穴で基部の連結軸と軸線まわりに回転できるように連結され、連結端は、特定の回転位置で操作部の後退側端部と対向して操作部の後退を許容し、それ以外の回転位置では操作部と当接して係止ピンを閉じ位置にロックして後退を阻止する大きさ及び形状を有することを１つの特徴としている。
【０００９】
このような構成では、本体と、係止ピンとを備えた通常の形態の動物用連結具において、係止ピンに備える操作部を、本体の基部周壁の、フック部の開放部側に設けられたスライド溝を通じ係止ピン外周から基部外まわりに立ち上がった立ち上がり部から基部外周に沿って周方向の一方または両方に延びる形態に改良して、操作部が基部まわりで嵩張らなくなり、その分、連結相手との間の拗れによっても連結相手と引っ掛かり合いにくくなる。しかも、操作部は基部まわりで、嵩張りを増すことなく広い背面域、側縁域、フック側先端厚み域を得て後退操作されやすくなるし、基部周壁のスライド溝によってフック部の開放部側に位置する立ち上がり部から、基部周方向の一方または両側に延びて、親指と人差し指の谷間にフック部の開放部側またはこれと反対の背部側を向けて基端環側連結部を握った手の親指およびまたは人差し指によって、フック側先端厚み域、背面域、側縁域のいずれかをフック部の開放部側または背部側からのアクセスにて後退操作して、そのまま反アクセス側への手首の内振り挙動または外振り挙動によりフック部の連結相手への連結、連結解除が行える。さらに、基端環が、人為的には容易になされ、引っ掛かり難い操作部に万一にも不用意な後退操作力が働き、かつ非人為的にはそうなる確率が極めて低い、基部との特定の相対回転位置にあるときに、操作部の後退操作を許容し、それ以外の回転位置では係止ピンを閉じ位置にロックして後退操作を阻止するので、付帯部材なしに操作部の不用意な後退操作を高い確率で阻止することができる。
【００１０】
上記において、さらに、操作部は、基部外周の窪み部に嵌り込んでいるものとすることができる。このような構成では、操作部が基部外周の窪み部への嵌り込みによって基部外周に突出しなくなる度合いに応じて連結相手との間の拗れによっても連結相手とより引っ掛かりにくくなる上、操作部の背面域が基部の窪み部両側の外周と面一として引っ掛かり回避に有利にしても厚み域が基部のフック側端部への開放、基部のフック側端部に至っての開放により手指を引っ掛けての後退操作が難なく行える。これには、基部外周のフック部の開放部側ほぼ半周域に沿う程度に操作部を延ばしているのが好適である。もっとも、操作部の背面域に滑り止めの形状や面状態を持たせて後退操作させることもできる。
【００１１】
上記において、さらに、基部の操作部が後退操作される側の外回りに周方向に移動できるように嵌め合わせたストッパ部材を備え、ストッパ部材は、周方向のロック位置で基部端鍔部と操作部との間で突っ張り操作部を介して係止ピンを閉じ位置にロックして後退を阻止するストッパ部を有し、ロック位置から周方向に非ロック位置への移動により係止ピンのロックを解除するものとすることができる。このような構成では、上記に加え、さらに、ストッパ部材は基部まわりの移動位置によって着脱の必要なく、操作部を介し係止ピンを閉じ位置にロックして後退操作を阻止し、またロックを解除するので、ストッパ部材は不用意に脱落しない装着構造を採用することができる。
【００１３】
本発明の動物用連結具は、また、基端環に連結された基部およびこの基部から延びたフック部を備えた本体と、基部内でばね付勢されて突出しフック部の先端に圧接してフック部の開放部を閉じる閉じ習性を持ち、ばねに抗して後退操作する操作部が基部のまわりに臨出している係止ピンとを備えた動物用の連結具において、基端環は、連結端の中心の連結穴で基部の連結軸と軸線まわりに回転できるように連結され、連結端は、特定の回転位置で操作部の後退側端部と対向して操作部の後退を許容し、それ以外の回転位置では操作部と当接して係止ピンを閉じ位置にロックして後退を阻止する大きさ及び形状を有したことを別の特徴としている。
【００１４】
このような構成では、本体と、係止ピンとを備えた通常の形態の動物用連結具において、基端環の基部との回転自在な連結端を、特定の回転位置で操作部の後退側端部と対向して操作部の後退を許容し、それ以外の回転位置では操作部と当接して係止ピンを閉じ位置にロックして後退を阻止する大きさ及び形状を有した形態に改良して、基端環が、人為的には容易になされ、操作部に連結相手が万一にも引っ掛かって不用意な後退操作力が働き、かつ非人為的にはそうなる確率が極めて低い、基部との特定の相対回転位置にあるときに、操作部の後退を許容し、それ以外の回転位置では閉じ位置にロックして後退を阻止するので、付帯部材なしに操作部の不用意な後退を高い確率で阻止することができる。
【発明の効果】
【００１５】
係止ピンに備える操作部を、係止ピン外周からの立ち上がり部から基部外周に沿って周方向の一方または両方に延びる形態に改良するだけの簡単かつ安価な構造にて、操作部が基部まわりで嵩張らなくなり、その分、連結相手との間の拗れによっても連結相手と引っ掛かり合いにくくなる。しかも、操作部は基部まわりで、嵩張りを増すことなく広い背面域、厚み域を得て後退操作されやすくなるし、基部周壁のスライド溝によってフック部の開放部側に位置する立ち上がり部から、基部周方向の一方または両側に延びて、親指と人差し指の谷間にフック部の開放部側またはこれと反対の背部側を向けて基端環側連結部を握った手の親指およびまたは人差し指によって、フック側先端厚み域、背面域、側縁域のいずれかをフック部の開放部側または背部側からのアクセスにて後退操作し、そのまま、つまり後退操作力を働かせているアクセス側から反アクセス側への手首の内振り挙動または外振り挙動によりフック部の連結相手への連結、連結解除が容易かつ迅速に行える。
【図面の簡単な説明】
【００１６】
【図１】本発明の実施の形態にかかる動物用連結具の第１の具体例を、開放部の閉じ状態（ａ）と開き状態（ｂ）とで示す斜視図、正面図、側面図である。
【図２】本発明の実施の形態にかかる動物用連結具の第３の具体例を、開放部の閉じ状態（ａ）で示す斜視図、正面図、側面図、（ｂ）は開放部の少し開いた状態を示す部分斜視図である。
【図３】本発明の実施の形態にかかる動物用連結具の第４の具体例を、開放部の閉じ状態で示す斜視図、正面図、側面図である。
【図４】本発明の実施の形態にかかる動物用連結具の第２の具体例を、開放部の閉じ状態（ａ）と開き状態（ｂ）とで示す斜視図、正面図、側面図、（ｃ）はストッパの斜視図である。
【図５】本発明の実施の形態にかかる動物用連結具の第５の具体例を、開放部の閉じ状態（ａ）と開き状態（ｂ）とで示す正面図、側面図、（ｃ）は基端環とストッパとのロック解除状態の関係を示す平面図、（ｄ）は基端環とストッパとのロック状態の関係を示す平面図である。
【図６】本発明の実施の形態にかかる動物用連結具の第６の具体例を、開放部の閉じ状態（ａ）で示す斜視図、正面図、側面図、開放部の開き状態（ｂ）で示す正面図、側面図である。
【図７】従来の動物用連結具によりリードと首輪との連結例を示す斜視図である。
【図８】図７の例の連結状態での連結具が連結部の拗れにより開き状態になった状態を示す斜視図である。
【図９】従来の動物用連結具を係留に用いた連結例を示す斜視図である。
【発明を実施するための形態】
【００１７】
以下、本発明の実施の形態につき図面に基づいて説明し、本発明の理解に供する。なお、以下の説明は本発明の具体例であって、特許請求の範囲の記載を限定するものではない。
【００１８】
図１に示す第１の例の連結具１００、図２に示す第２の例の連結具２００、図３に示す例の連結具３００、図４に示す例の連結具４００、図５に示す例の連結具５００、図６に示す例の連結具６００は、いずれも、金属製の基端環１に連結された基部２およびこの基部２から延びたフック部３を備えた金属製の本体４と、基部２内で図１（ａ）で代表して示すばね５で付勢されて突出しフック部３の先端３ａに圧接してフック部３の開放部６を閉じる閉じ習性を持ち、ばね５に抗し基部２まわりにて後退操作する操作部７を有している金属製の係止ピン８と、を備えている。これにより、連結具１００、２００、３００、４００、５００、６００のそれぞれは、操作部７によって係止ピン８を図１（ａ）、図２（ａ）、図３、図４（ａ）、図５（ａ）、図６（ａ）に示す閉じ位置から後退操作させることで、フック部３の開放部６を図１（ｂ）、図２（ｂ）、図４（ｂ）、図５（ｂ）、図６（ｂ）に示すように開くことができ、連結相手に対して着脱できる状態にすることができる。操作部７を後退操作から解放すると係止ピン８はばね５によって閉じ位置に復帰させられて、フック部３の先端３ａに当接するので、フック部３の解放部を閉じ、連結時には連結状態を維持する状態になる。
【００１９】
しかし、連結具１００、２００、３００、４００、５００、６００を用いた犬など動物の引き連れや係留において、動物が驚いた場合の異常動作などで連結部に拗れが生じると、操作部７に不用意な後退操作力が働き、フック部３の開放部６が開いて連結が外れてしまうことが稀にある。
【００２０】
これに対応するのに、図１に示す連結具１００は、操作部７を、基部２周壁の、フック部３の開放部６側に設けられたスライド溝１１を通じ係止ピン８外周から基部２外まわりに立ち上がった図１（ａ）で代表して示す立ち上がり部８ａから基部２外周に沿って周方向の一方または両方に延びるように形成している。このように、本体４と、係止ピン８とを備えた通常の形態の動物用連結具１００において、係止ピン８に備える操作部７を、本体４の基部２周壁の、フック部３の開放部６側に設けられたスライド溝１１を通じ係止ピン８外周から基部２外まわりに立ち上がった立ち上がり部８ａから基部２外周に沿って周方向の一方または両方に延びる形態に改良して、操作部７が基部２まわりで嵩張らなくなり、その分、首輪のＤ環や係留具の連結リングなど連結相手との間の拗れによっても連結相手と引っ掛かり合いにくくなる。
【００２１】
しかも、操作部７は基部２まわりで、嵩張りを増すことなく広い背面域７ａ、側縁域７ｂ、フック側先端厚み域７ｃを得て後退操作されやすくなるし、基部２周壁のスライド溝１１によってフック部３の開放部６側に位置する立ち上がり部８ａから、基部２周方向の一方または両側に延びて、親指と人差し指の谷間にフック部３の開放部６側またはこれと反対の背部側を向けて基端環１側連結部を握った手の親指およびまたは人差し指によって、フック側先端厚み域７ｃ、背面域７ａ、側縁域７ｂのいずれかをフック部３の開放部６側または背部側からのアクセスにて後退操作して、そのまま反アクセス側への手首の内振り（手の平側）挙動または外振り（手の甲側）挙動によりフック部３の連結相手への連結、連結解除が行える。
【００２２】
この結果、係止ピン８に備える操作部７を、係止ピン８外周からの立ち上がり部８ａから基部２外周に沿って周方向の一方または両方に延びる形態に改良するだけの簡単かつ安価な構造にて、操作部７が基部２まわりで嵩張らなくなり、その分、連結相手との間の拗れによっても連結相手と引っ掛かり合いにくくなり、不用意に開かれるのを防止しやすい。しかも、操作部７は基部２まわりで、嵩張りを増すことなく広い背面域７ａ、側縁域７ｂ、厚み域７ｃを得て後退操作されやすくなるし、基部２周壁のスライド溝１によってフック部３の開放部６側に位置する立ち上がり部８ａから、基部２周方向の一方または両側に延びて、親指と人差し指の谷間にフック部３の開放部６側またはこれと反対の背部側を向けて基端環１側連結部を握った手の親指およびまたは人差し指によって、フック側先端厚み域７ｃ、背面域７ａ、側縁域７ｂのいずれかをフック部３の開放部６側または背部側からのアクセスにて後退操作し、そのまま、つまり後退操作力を働かせているアクセス側から反アクセス側への手首の内振り挙動または外振り挙動によりフック部３の連結相手への連結、連結解除が容易かつ迅速に行える。
【００２３】
操作具合についてさらに詳述すると、操作部７が立ち上がり部８ａから基部２の周方向一方側に延びている場合、基端環１側連結部を握った手の親指および人差し指のうち、対応する側の指を、操作部７の背面域７ａ、側縁域７ｂ、フック側端部厚み域７ｃのいずれかを操作して後退操作することになる。この場合、背面域７ａに図示するような幅方向に延びる滑り止め溝１２や凸条、凹凸、ローレットなどを施しておけば、背面域７ａに指を押し当てるだけで、比較的強いばね５に負けずに容易かつ確実に後退操作させられる。また、溝１２などによる滑り止め効果は、それが側縁域７ｂに及んでいることを条件に側縁域７ｂに手を掛けて後退操作する場合にも有効となる。フック側端部厚み域７ｃはそれ単独でも指の引っ掛かりが十分で後退操作しやすいが、滑り止めの効いた背面域７ａと共用することでさらに操作しやすくなる。側縁域７ｂの操作においても背面域７ａとの共用が図れる。また、操作部７が立ち上がり部８ａから基部２の周方向両側に延びている場合、基端環１側連結部を握った手の親指および人差し指の双方で、操作部７の背面域７ａおよび側縁域７ｂを左右両側からつまむようにして後退操作することができるし、フック側端部厚み域７ｃに左右両側からつまむような状態で掛けて後退操作することができる。
【００２４】
特に、これら、親指および人差し指による両側からのつまみ挙動は、操作部７に左右バランスよく操作力を働かせて後退操作させられるだけでなく、手で握った基端環１側連結部を中心とした本体４の向きを左右方向で安定させる働きをし、しかも、後退操作で開放部６が開いたフック部３を連結相手に対して連結し、また連結を解除させる力の作用点にもなるので、基端環１側連結部を握って後の後退操作から連結または連結解除に至る動作を円滑かつ迅速に達成することができる。
【００２５】
図２に示す第２の例の連結具２００は、第１の例の場合に加え、さらに、操作部７は、基部２外周の窪み部１３に嵌り込んだものとしている。これにより操作部７が基部２外周の窪み部１３への嵌り込みによって基部２外周に突出しなくなる度合いに応じて連結相手との間の拗れによっても連結相手とより引っ掛かりにくくなる上、操作部７の背面域７ａが基部２の窪み部１３両側の外周と図３（ａ）に示すように面一として引っ掛かり回避に有利にしてもフック側先端厚み域７ｃが基部２のフック側端部２ａへの開放、特に、基部２のフック側端部２ａに至っての開放により、手指を引っ掛けての後退操作が難なく行える。これには、図示例のように基部２のフック部３の開放部６側ほぼ半周域に沿う程度に操作部７を延ばしているのが好適である。もっとも、操作部７の背面域７ａに滑り止めの溝１２など持たせて後退操作させることもできる。なお、図示例では、係止ピン８およびフック部３の当接端面間に内側から外側に向け途中に段差を持つＺ型の割線１４を持つようにして、連結相手が開放部６をすり抜けにくくしている。
【００２６】
図３に示す第３の例の連結具３００は、第２の連結具２００の窪み部１３が、基部２のフック側端部２ａ上記に開放しているのに代えて、フック側端部２ａの手前まで窪ませた窪み部１５を形成している。これにより、操作部７はそのフック側先端厚み域７ｃもフック部３側に開放されなくなることと、フック部３から遠ざかることとで、連結相手との間の拗れによっても後退操作力を一層受け難くなり、単純構造のままで不用意に開かれるのを一層回避しやすいものとなる。操作部７のフック部３からの遠ざかりによる連結相手の引っ掛かり防止効果は、他の例の場合にも有効である。
【００２７】
図４に示す第４の連結具４００は、第１の例の連結具１００の場合に加え、基部２の操作部７が後退操作される側の外回りに周方向に移動できるように嵌め合わせた図４（ｃ）に示すようなストッパ部材２１を備えている。このストッパ部材２１は、図ａに示す周方向のロック位置で基部端鍔部２ｂと操作部７との間で突っ張り、操作部７を介して係止ピン８を閉じ位置にロックして後退を阻止するストッパ部２１ａを有し、ロック位置から周方向に図４（ｂ）に示す、ストッパ部２１ａが操作部７の後退路から退避する非ロック位置への移動により係止ピン８のロックを解除するようにしている。これにより、ストッパ部材２１は基部２まわりの移動位置によって着脱の必要なく、操作部７を介し係止ピン８を閉じ位置にロックして後退操作を阻止し、またロックを解除するので、ストッパ部材２１は不用意に脱落しない装着構造を採用することができる。
【００２８】
ストッパ部材２１は、金属や樹脂よりなり、基部２の基部端鍔部２ｂに当接して基部２からの抜けを防止されるリング部２１ｂの周方向一部からフック部２側にストッパ部２１ａが延出するように一体形成してある。リング部２１ｂは周方向一部に開放部２１ｃを形成し、この開放部２１ｃを弾性的に開くことにより基部２に軸直角方向から嵌め合わせた後、開き操作から解放するとリング部２１ｂが弾性復帰するので、基部２に後付けでき、開放部２１ｃが周方向の１／４以下として不用意な脱落を防止することができる。開放部２１ｃは幅が小さいほど外れにくく、大きいほど装着が楽になる。
【００２９】
図５に示す例の連結具５００は、係止ピン８の操作部７を従来からの左右に広がりのない縦長なもので、係止ピン８の閉じ位置で後退側端部７ｄが、基端環１の連結端１ａに当接又は近接して位置するようにしてあり、連結端１ａは、図５（ｃ）（ｄ）に示す中心の連結穴１ｂで基部２の連結軸２ｃと軸線まわりに回転できるように連結され、連結端１ａは、図５（ｂ）、図５（ｃ）に示す特定の回転位置で、操作部７の後退側端部７ｄと対向して、図５（ｃ）に示すように操作部７の、図５（ａ）に示す閉じ位置からの後退を許容し、それ以外の回転位置では図５（ａ）、図５（ｄ）に示すように操作部７と当接して係止ピン８を閉じ位置にロックして後退を阻止する大きさ及び形状を有したものとしている。これにより、操作部７を従来の場合よりも長くし、連結端１ａの形態を改良するだけの簡単かつ安価な構造にて、基端環１が、人為的には容易になされ、操作部７に万一にも不用意な後退操作力が働き、かつ非人為的にはそうなる確率が極めて低い、基部２との特定の相対回転位置にあるときにだけ、操作部７の後退操作を許容し、それ以外の回転位置では係止ピン４を閉じ位置にロックして後退操作を阻止するので、付帯部材なしに操作部７の不用意な後退操作を阻止しやすい。
【００３０】
このための連結端１ａの形態は自由に設定できるが、図示例では、基端環１の連結端１ａは、外周部が操作部７の後退側端部７ｄと軸線方向に対向して当接し合える外形を持った盤状部に形成して、その外周の特定位置、具体的には直径線上２箇所、さらに詳しくは基端環１の扁平な方向に直交する直径線上２箇所に、操作部７の後退側端部７ｄとの当接を図５（ｂ）に示すように避けて操作部７の後退操作を許容する切り欠き部３１を形成してある。直交に特段の意味はないが、連結端１ａの周方向で切り欠き部３１が基端環１との繋がり部を避けた嵩低いもので、かつ繋がり部は邪魔しない単純形態とし、繋がり部に切り欠き部３１が及んでこれを避けるための複雑な迂回形態になるのを防止している。
【００３１】
図６に示す例の連結具６００は、第１〜第４に示す例の連結具１００、２００、３００、４００が採用している操作部７、つまり係止ピン８からの立ち上がり部８ａから基部２の外周に沿って周方向の一方または両側に延びる操作部７を有したものにおいて、第５の例の連結具５００におけるロック技術を採用している。さらに、連結具５００の実施例レベルの操作部７と切り欠き部３１の関係は実質的に変わらない。しかし、操作部７は、立ち上がり部８ａに対し左右のほか上下、特に下側への広がりが大きい図１、図４、図５の例の連結具１００、４００、５００の例の場合と同様な形態のものを採用しているが、基部２の基端鍔２ｂに当接させて係止ピン８の閉じ位置へのロックを図るには、さらに下方に長くする必要がある。
【００３２】
そこで、本例では、操作部７の閉じ位置を、基部２のフック側端部２ａから、図３に示す例の連結具３００の場合よりもさらに下げて、基端鍔２ｂと当接するようにしてある。これにより、操作部７が上下に徒に長くならないし、基部２のフック側端部２ａから大きく遠ざかった分だけ、連結相手と拗れた場合でも後退操作力をさらに受けにくくなり、ロック機能と併せ、不用意な外れを防止する機能が一層高まる。
【００３３】
また、操作部７を上下方向中途部から下端の後退側端部７ｄに掛けて先細り形状とし、これに適合する形状の切り欠き部３１との周方向の小さな範囲での嵌り合いによって特定の位置での操作部７の後退操作を許容できるようにしている。
【産業上の利用可能性】
【００３４】
本発明は、一般にナス環と称される動物用の連結具に実用して、連結相手との間に拗れが生じても、係止ピンの操作部に後退操作力が及び難くするか、及んでも係止ピンが後退しないようにして、不用意に連結が外れないようにできる。
【符号の説明】
【００３５】
１  基端環状
１ａ  連結端部
１ｂ  連結穴
２  基部
２ａ  フック側端部
２ｂ  基部端鍔部
３  フック部
４  本体
５  ばね
６  開放部
７  操作部
７ａ  背面域
７ｂ  側縁域
７ｃ  フック側端部厚み域
７ｄ  後退側端部
８  係止ピン
８ａ  立ち上がり部
１１  スライド溝
１２  滑り止め溝
１３、１５  窪み部
１４  割線
２１  ストッパ部材
２１ａ  ストッパ部
２１ｂ  リング部
３１  切り欠き部
【図１】
0005604167.tif 000002
【図２】
0005604167.tif 000003
【図３】
0005604167.tif 000004
【図４】
0005604167.tif 000005
【図５】
0005604167.tif 000006
【図６】
0005604167.tif 000007
【図７】
0005604167.tif 000008
【図８】
0005604167.tif 000009
【図９】
0005604167.tif 000010